(57)【要約】    【課題】  静止画の撮影中でも、テレビ放送内容を継続して把握することを可能にする。    【解決手段】  テレビモードが設定されている場合、表示部１４にテレビ映像信号出力部７からのテレビ映像信号に基づき画像表示を行わせ、同時にスピーカ部１２にテレビ音声信号出力部６からのテレビ音声信号に基づき音声出力を行わせる。またテレビモードが設定されているとき、カメラ映像信号出力部３によって静止画映像信号が出力された場合、表示部１４にカメラ映像信号出力部３からの静止画映像信号に基づく画像表示を行わせ、同時にスピーカ部１２にテレビ音声信号出力部６からのテレビ音声信号に基づき音声出力を行わせる。【選択図】      図１
2006080637.tif 000002
【特許請求の範囲】
【請求項１】
静止画を撮影し、静止画映像信号を出力する静止画映像信号出力手段と、
テレビ放送電波を受信し、テレビ映像信号及びテレビ音声信号を出力するテレビ出力手段と、
映像信号を受けて画像表示を行う画像表示手段と、
音声信号を受けて音声出力を行う音声出力手段と、
前記画像表示手段が前記テレビ出力手段からテレビ映像信号を受けて画像表示を行い、かつ前記音声出力手段が前記テレビ出力手段からテレビ音声信号を受けて音声出力を行っているとき、前記静止画映像信号出力手段によって静止画映像信号が出力された場合に、前記画像表示手段に前記静止画映像信号出力手段からの静止画映像信号に基づく画像表示を行わせ、かつ前記音声出力手段に前記テレビ出力手段からのテレビ音声信号に基づく音声出力を行わせる第１の制御手段と
を有することを特徴とする画像記録再生装置。
【請求項２】
前記静止画映像信号出力手段によって静止画映像信号が出力された場合、前記静止画映像信号出力手段によって出力された静止画映像信号を記録する第１の記録手段を更に有することを特徴とする請求項１記載の画像記録再生装置。
【請求項３】
動画を撮影し、動画映像信号を出力する動画映像信号出力手段と、
動画撮影時の音声を取得して動画撮影時音声信号を出力する動画撮影時音声信号出力手段と、
前記動画映像信号出力手段によって動画映像信号が出力されている場合、前記画像表示手段に前記動画映像信号出力手段からの動画映像信号に基づく画像表示を行わせ、かつ前記音声出力手段に音声出力を停止させる第２の制御手段と
を更に有することを特徴とする請求項１記載の画像記録再生装置。
【請求項４】
前記動画映像信号出力手段によって動画映像信号が出力されている場合、前記動画映像信号出力手段によって出力された動画映像信号を記録すると同時に、前記動画撮影時音声信号出力手段によって出力された動画撮影時音声信号を記録する第２の記録手段を更に有することを特徴とする請求項３記載の画像記録再生装置。
【請求項５】
静止画を撮影し、静止画映像信号を出力する静止画映像信号出力手段と、 テレビ放送電波を受信し、テレビ映像信号及びテレビ音声信号を出力するテレビ出力手段と、映像信号を受けて画像表示を行う画像表示手段と、音声信号を受けて音声出力を行う音声出力手段とを備えた画像記録再生装置に適用される音声再生方法において、
テレビモードが設定されている場合、前記画像表示手段に前記テレビ出力手段からのテレビ映像信号に基づき画像表示を行わせ、同時に前記音声出力手段に前記テレビ出力手段からのテレビ音声信号に基づき音声出力を行わせる第１の制御ステップと、
前記テレビモードが設定されているとき、前記静止画映像信号出力手段によって静止画映像信号が出力された場合、前記画像表示手段に前記静止画映像信号出力手段からの静止画映像信号に基づく画像表示を行わせ、同時に前記音声出力手段に前記テレビ出力手段からのテレビ音声信号に基づく音声出力を行わせる第２の制御ステップと
を有することを特徴とする音声再生方法。
【請求項６】
前記静止画映像信号出力手段によって静止画映像信号が出力された場合、前記静止画映像信号出力手段によって出力された静止画映像信号を記録手段に記録させる第１の記録ステップを更に有することを特徴とする請求項５記載の音声再生方法。
【請求項７】
前記画像記録再生装置が、動画を撮影し、動画映像信号を出力する動画映像信号出力手段と、動画撮影時の音声を取得して動画撮影時音声信号を出力する動画撮影時音声信号出力手段とを更に備え、
前記動画映像信号出力手段によって動画映像信号が出力されている場合、前記画像表示手段に前記動画映像信号出力手段からの動画映像信号に基づく画像表示を行わせ、同時に前記音声出力手段に音声出力を停止させる第３の制御ステップを更に有することを特徴とする請求項５記載の音声再生方法。
【請求項８】
前記動画映像信号出力手段によって動画映像信号が出力されている場合、前記動画映像信号出力手段によって出力された動画映像信号を記録手段に記録させ、同時に前記動画撮影時音声信号出力手段によって出力された動画撮影時音声信号を前記記録手段に記録させる第２の記録ステップを更に有することを特徴とする請求項７記載の音声再生方法。
【請求項９】
静止画を撮影し、静止画映像信号を出力する静止画映像信号出力手段と、 テレビ放送電波を受信し、テレビ映像信号及びテレビ音声信号を出力するテレビ出力手段と、映像信号を受けて画像表示を行う画像表示手段と、音声信号を受けて音声出力を行う音声出力手段とを備えた画像記録再生装置に適用される音声再生方法を、コンピュータに実行させるためのプログラムにおいて、
テレビモードが設定されている場合、前記画像表示手段に前記テレビ出力手段からのテレビ映像信号に基づき画像表示を行わせ、同時に前記音声出力手段に前記テレビ出力手段からのテレビ音声信号に基づき音声出力を行わせる第１の制御ステップと、
前記テレビモードが設定されているとき、前記静止画映像信号出力手段によって静止画映像信号が出力された場合、前記画像表示手段に前記静止画映像信号出力手段からの静止画映像信号に基づく画像表示を行わせ、同時に前記音声出力手段に前記テレビ出力手段からのテレビ音声信号に基づく音声出力を行わせる第２の制御ステップと
を有することを特徴とする音声再生方法。
【発明の詳細な説明】
【技術分野】
【０００１】
本発明は、画像記録再生装置、音声再生方法、及びプログラムに関し、特に、静止画記録再生機能を持つとともに、テレビ放送の受信機能が追加された画像記録再生装置、該画像記録再生装置に適用される音声再生方法、及び該音声再生方法をコンピュータに実行させるためのプログラムに関する。
【背景技術】
【０００２】
従来の動画記録再生装置では、撮影中に取得した音声を撮影中にスピーカから出力することは行わない。また、従来の静止画記録再生装置では、シャッタ操作やレリーズ操作等に応じてスピーカから操作を示す音声を出力することができるものがある（例えば、特許文献１参照）。また、テレビ放送受信装置においては、放送受信中にスピーカから音声が常時出力される。
【特許文献１】特開平０７−１７７４０４号公報
【発明の開示】
【発明が解決しようとする課題】
【０００３】
ところで、動画記録再生装置や静止画記録再生装置にテレビ放送の受信機能を追加した画像記録再生装置において、テレビ放送の受信中には、画像表示部にテレビ受信画像が表示され、音声出力部にはテレビ受信音声が出力される。一方、動画または静止画を撮影する場合には、従来、動画または静止画が画像表示部に表示され、音声出力部からは何も音声が出力されないか、または操作音が出力される。
【０００４】
しかしながら、テレビ放送の受信中に静止画を撮影することになった場合に、視聴中のテレビ放送が中断されるとことはユーザにとって望ましいことではなく、静止画の撮影中にも、放送内容を継続して把握したいという要請があった。
【０００５】
本発明はこのような問題点に鑑みてなされたものであって、静止画の撮影中でも、テレビ放送内容を継続して把握することを可能にした画像記録再生装置、音声再生方法、及びプログラムを提供することを目的とする。
【課題を解決するための手段】
【０００６】
上記目的を達成するために、請求項１記載の発明によれば、静止画を撮影し、静止画映像信号を出力する静止画映像信号出力手段と、テレビ放送電波を受信し、テレビ映像信号及びテレビ音声信号を出力するテレビ出力手段と、映像信号を受けて画像表示を行う画像表示手段と、音声信号を受けて音声出力を行う音声出力手段と、前記画像表示手段が前記テレビ出力手段からテレビ映像信号を受けて画像表示を行い、かつ前記音声出力手段が前記テレビ出力手段からテレビ音声信号を受けて音声出力を行っているとき、前記静止画映像信号出力手段によって静止画映像信号が出力された場合に、前記画像表示手段に前記静止画映像信号出力手段からの静止画映像信号に基づく画像表示を行わせ、かつ前記音声出力手段に前記テレビ出力手段からのテレビ音声信号に基づく音声出力を行わせる第１の制御手段とを有することを特徴とする画像記録再生装置が提供される。
【０００７】
また、請求項５記載の発明によれば、静止画を撮影し、静止画映像信号を出力する静止画映像信号出力手段と、テレビ放送電波を受信し、テレビ映像信号及びテレビ音声信号を出力するテレビ出力手段と、映像信号を受けて画像表示を行う画像表示手段と、音声信号を受けて音声出力を行う音声出力手段とを備えた画像記録再生装置に適用される音声再生方法において、テレビモードが設定されている場合、前記画像表示手段に前記テレビ出力手段からのテレビ映像信号に基づき画像表示を行わせ、同時に前記音声出力手段に前記テレビ出力手段からのテレビ音声信号に基づき音声出力を行わせる第１の制御ステップと、前記テレビモードが設定されているとき、前記静止画映像信号出力手段によって静止画映像信号が出力された場合、前記画像表示手段に前記静止画映像信号出力手段からの静止画映像信号に基づく画像表示を行わせ、同時に前記音声出力手段に前記テレビ出力手段からのテレビ音声信号に基づく音声出力を行わせる第２の制御ステップとを有することを特徴とする音声再生方法が提供される。
【０００８】
さらに、上記音声再生方法をコンピュータに実行させるためのプログラムが提供される。
【発明の効果】
【０００９】
本発明によれば、静止画を撮影し、静止画映像信号を出力する静止画映像信号出力手段と、テレビ放送電波を受信し、テレビ映像信号及びテレビ音声信号を出力するテレビ出力手段と、映像信号を受けて画像表示を行う画像表示手段と、音声信号を受けて音声出力を行う音声出力手段とを備えた画像記録再生装置において、テレビモードが設定されている場合、前記画像表示手段に前記テレビ出力手段からのテレビ映像信号に基づき画像表示を行わせ、同時に前記音声出力手段に前記テレビ出力手段からのテレビ音声信号に基づき音声出力を行わせる。また前記テレビモードが設定されているとき、前記静止画映像信号出力手段によって静止画映像信号が出力された場合、前記画像表示手段に前記静止画映像信号出力手段からの静止画映像信号に基づく画像表示を行わせ、同時に前記音声出力手段に前記テレビ出力手段からのテレビ音声信号に基づく音声出力を行わせる。
【００１０】
これにより、静止画の撮影中でもテレビ音声が出力されるので、テレビ放送内容を継続して把握することが可能になる。
【発明を実施するための最良の形態】
【００１１】
以下、本発明を実施するための最良の形態について、図面を参照して説明する。
【００１２】
〔第１の実施の形態〕
図１は、本発明の第１の実施の形態に係る画像記録再生装置の構成を示すブロック図である。この画像記録再生装置は、静止画を撮影し記録し再生する機能と、テレビ放送電波を受信して画像および音声を再生する機能とを備えている。
図１において１は、映像の光信号を集約するためのレンズ部であり、２は、レンズ部１で集約された光信号を電気信号に変換するためのカメラ映像信号処理部あり、３は、カメラ映像信号処理部２で得られた電気信号を出力するためのカメラ映像信号出力部であり、４は、テレビ電波信号を受信するためのアンテナ部であり、５は、アンテナ部４で受信したテレビ電波信号を復調し、映像信号と音声信号とに分離するためのテレビ信号処理部であり、６は、テレビ信号処理部５で分離された音声信号を出力するためのテレビ音声信号出力部であり、７は、テレビ信号処理部５で分離された映像信号を出力するためのテレビ映像信号出力部である。
【００１３】
８は、本画像記録再生装置に対してユーザが操作入力するための操作部であり、９は、操作部８を介して入力された信号に基づき、音声出力処理部１０及び映像出力処理部１１の動作制御を行うためのマイコン（Micro Computer）部である。マイコン部８は、例えば中央演算装置（ＣＰＵ）、ＣＰＵが実行するプログラムを記憶するＲＯＭ（Read Only Memory）、ＣＰＵが演算に使用するＲＡＭ（Random Access Memory）、入出力装置等から構成される。
【００１４】
音声出力処理部１０には、テレビ音声信号出力部６からの音声信号と、記録部１３からの音声信号とが入力され、音声出力処理部１０は、マイコン部９の指示により音声信号を選択してスピーカ部１２へ出力する。スピーカ部１２は、入力された音声信号を音声に変換してユーザに出力する。
【００１５】
映像出力処理部１１には、カメラ映像信号出力部３からの映像信号と、テレビ映像信号出力部７からの映像信号と、記録部１３からの映像信号とが入力され、映像出力処理部１１は、マイコン部９の指示により映像信号を選択して表示部１４へ出力する。表示部１４は、入力された映像信号を画像として表示する。
【００１６】
記録部１３は、マイコン部９の指示により、映像出力処理部１１を介してテレビ映像信号出力部７から送られた映像信号と、音声出力処理部１０を介してテレビ音声信号出力部６から送られた音声信号とを記録したり、映像出力処理部１１を介してカメラ映像信号出力部３から送られた映像信号を記録したり、また、記録された映像信号を、映像出力処理部１１を介して表示部に出力したり、記録された音声信号を、音声出力処理部１０を介してスピーカ部１２に出力したりする。
【００１７】
図２は、映像出力処理部１１の機能構成を示す図である。なおここでは、記録部１３に対する映像信号の記録や、記録部１３からの映像信号の再生に対して映像出力処理部１１が関わる部分の図示を省略している。
【００１８】
図２において１８は、テレビ映像信号出力部７からのテレビ映像信号が入力されるテレビ映像端子部、１９は、カメラ映像信号出力部３からのカメラ映像信号が入力されるカメラ映像端子部、２０は、表示部１４へ接続される表示端子部である。表示端子部２０のテレビ映像端子部１８またはカメラ映像端子部１９への接続はマイコン部９によって制御される。
【００１９】
図３は、音声出力処理部１０の機能構成を示す図である。なおここでは、記録部１３に対する音声信号の記録や、記録部１３からの音声信号の再生に対して音声出力処理部１０が関わる部分の図示を省略している。
【００２０】
図３において２１は、テレビ音声信号出力部６からのテレビ音声信号が入力されるテレビ音声端子部、２２は、スピーカ部１２での出力音声をミュートさせるためのミュート端子部であり、このミュート端子部２２はグラウンドに接続される。２３は、スピーカ部１２へ接続されるスピーカ端子部である。スピーカ端子部２３のテレビ音声端子部２１またはミュート端子部２２への接続はマイコン部９によって制御される。
【００２１】
図４は、マイコン部９で行われる画像記録再生装置の動作制御の手順を示すフローチャートである。なおここでも、記録部１３に対して行われる映像信号及び音声信号の記録や、記録部１３からの映像信号及び音声信号の再生に対して、マイコン部９、映像出力処理部１１、及び音声出力処理部１０が関わる部分の説明を省略する。
【００２２】
ユーザが操作部８を介して画像記録再生装置に対してカメラ記録モードを設定しているか否かを判別する（Ｓ３０）。カメラ記録モードを設定しているならばステップＳ３１へ進み、カメラ記録モードを設定していないならばステップＳ３３へ進む。
【００２３】
ステップＳ３１では、アンテナ部４がテレビ放送電波を受信し、テレビ信号処理部５にて、テレビ信号を復調して映像信号と音声信号とに分離し、音声信号を、テレビ音声信号出力部６を介して音声出力処理部１０に送る。音声出力処理部１０ではマイコン部９からの制御により、図３のテレビ音声端子部２１とスピーカ端子部２３とが接続され、テレビ音声がスピーカ部１２から出力される。
【００２４】
そして同時に、レンズ部１からの被写体映像の光信号がカメラ映像信号処理部２にて電気信号に変換され、カメラ映像信号出力部３から映像出力処理部１１へ送られる。映像出力処理部１１ではマイコン部９からの制御により、図２のカメラ映像端子部１９と表示端子部２０とが接続され、表示部１４にカメラ映像が表示される（Ｓ３２）。この後、本動作制御を終了する。
【００２５】
ステップＳ３３では、ユーザが操作部８を介して画像記録再生装置に対してテレビモードを設定しているか否かを判別する。テレビモードを設定しているならばステップＳ３４へ進み、テレビモードを設定していないならば本動作制御を終了する。
【００２６】
ステップＳ３４では、アンテナ部４がテレビ放送電波を受信し、テレビ信号処理部５にて、テレビ信号を復調して映像信号と音声信号とに分離し、映像信号を、テレビ映像信号出力部７を介して映像出力処理部１１に送り、音声信号を、テレビ音声信号出力部６を介して音声出力処理部１０に送る。音声出力処理部１０ではマイコン部９からの制御により、図３のテレビ音声端子部２１とスピーカ端子部２３とが接続され、テレビ音声がスピーカ部１２から出力される（Ｓ３４）。同時に、映像出力処理部１１ではマイコン部９からの制御により、図２のテレビ映像端子部１８と表示端子部２０とが接続され、テレビ映像が表示部１４に表示される（Ｓ３５）。
【００２７】
次に、このようにテレビ映像が表示部１４に表示され、かつテレビ音声がスピーカ部１２から出力されている状態において、ユーザが静止画像の撮影を希望した場合を説明する。すなわち、ユーザが、操作部８の記録スタートスイッチ（静止画記録トリガ）を押下したか否かを判別する（Ｓ３６）。記録スタートスイッチが押下された場合、ユーザが静止画像の撮影を希望したとしてステップＳ３１へ進み、押下されていなければ本動作制御を終了する。
【００２８】
記録スタートスイッチが押下された場合、その信号がマイコン部９に伝達され、マイコン部９は、映像出力処理部１１にて、図２のテレビ映像端子部１８と表示端子部２０との接続を解除して、カメラ映像端子部１９と表示端子部２０とを接続する。これにより、表示部１４には、ユーザによって撮影された静止画のカメラ映像が映し出される（Ｓ３２）。ただし、スピーカ部１２からは、テレビ音声がそのまま出力される（Ｓ３１）。
【００２９】
なお、記録部１３では、カメラ記録モードが設定されている場合または記録スタートスイッチ（静止画記録トリガ）が押下された場合、静止画の映像信号を記録するようにする（そのときのテレビ音声信号の記録は行わない）。
【００３０】
これにより、静止画の撮影中にも、テレビ音声がスピーカ部１２から出力されるので、テレビ放送内容を継続して把握することができる。
【００３１】
〔第２の実施の形態〕
次に、本発明の第２の実施の形態を説明する。
【００３２】
図５は、本発明の第２の実施の形態に係る画像記録再生装置の構成を示すブロック図である。この画像記録再生装置は、動画及び静止画を撮影し記録し再生する機能と、テレビ放送電波を受信して画像および音声を再生する機能とを備えている。第２の実施の形態の構成は、基本的に第１の実施の形態の構成と同じであるので、第２の実施の形態の説明においては、第１の実施の形態の構成と同一部分には同一の参照符号を付して、その説明を省略し、異なる部分だけを説明する。
【００３３】
第２の実施の形態においては、レンズ部１、カメラ映像信号処理部２、及びカメラ映像信号出力部３が、静止画の撮影を行うとともに、動画の撮影も行うようにする。こうした動画データは静止画データと同様に、記録部１３に記録され、表示部１４に再生表示される。
【００３４】
さらに、第２の実施の形態においては、マイク部１５、カメラ音声信号処理部１６、及びカメラ音声信号出力部１７が新たに設けられる。マイク部１５は、動画記録時に得られる音声を電気信号に変換する。カメラ音声信号処理部１６は、マイク部１５からの電気信号を増幅し、ステレオ処理する。カメラ音声信号出力部１７は、カメラ音声信号処理部１６から送られたカメラ音声信号を音声出力処理部１０へ出力する。
【００３５】
図６は、第２の実施の形態におけるマイコン部９で行われる画像記録再生装置の動作制御の手順を示すフローチャートである。なお、図６に示す動作制御手順は、図４に示す第１の実施の形態における動作制御手順と基本的には同一であるので、図６において、同一内容のステップには図４と同一のステップ番号を付してその説明を省略する。
【００３６】
第２の実施の形態でも、ステップＳ３６において、記録スタートスイッチ（静止画記録トリガ）が押下されたと判別した場合（Ｓ３６でＹＥＳ）、スピーカ部１２からテレビ音声をそのまま出力し（Ｓ３１）、表示部１４に静止画のカメラ映像を表示する（Ｓ３２）。これにより、静止画の撮影中にも、テレビ放送内容を継続して把握することができる。
【００３７】
ところで、ステップＳ３０において、カメラ記録モード（静止画記録モード、動画記録モード）が設定されていると判別された場合（Ｓ３０でＹＥＳ）、ステップＳ３７に進んで、静止画記録モードが画像記録再生装置に設定されているか否かを判別する。静止画記録モードが設定されていればステップＳ３１へ進み、動画記録モードが設定されていればステップＳ３８へ進む。
【００３８】
ステップＳ３８では、マイク部１５が音声を電気信号に変換し、カメラ音声信号処理部１６が、マイク部１５からの電気信号を増幅しステレオ処理して、カメラ音声信号出力部１７が、これを音声出力処理部１０に送る。音声出力処理部１０では、図３のミュート端子部２２とスピーカ端子部２３とを接続し、スピーカ部１２の音声出力をミュート（無音化）する。なお、音声出力処理部１０では、カメラ音声信号出力部１７から送られたカメラ音声信号を記録部１３に送り、記録部１３に記録させるようにする。
【００３９】
それと同時に、静止画撮影の場合と同様に、レンズ部１からの動画の光信号がカメラ映像信号処理部２にて電気信号に変換され、カメラ映像信号出力部３から映像出力処理部１１へ送られる。映像出力処理部１１ではマイコン部９からの制御により、図２のカメラ映像端子部１９と表示端子部２０とが接続され、表示部１４にカメラ映像が表示される（Ｓ３２）。
【００４０】
なお、記録部１３では、静止画記録モードが設定されている場合または記録スタートスイッチ（静止画記録トリガ）が押下された場合、静止画の映像信号を記録するようにし（そのときのテレビ音声信号の記録は行わない）、また、動画記録モードが設定されている場合、動画の映像信号を記録するとともに、動画撮影時にマイク部１５から取得されたカメラ音声信号を記録するようにする。
【００４１】
〔他の実施の形態〕
なお、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００４２】
この場合、記憶媒体から読み出されたプログラムコード自体が本発明の新規な機能を実現することになり、そのプログラムコードを記憶した記憶媒体およびプログラムは本発明を構成することになる。
【００４３】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。或いは、上記プログラムは、インターネット、商用ネットワーク、若しくはローカルエリアネットワーク等に接続される他のコンピュータやデータベース等からダウンロードすることにより供給される。
【００４４】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００４５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【００４６】
【図１】本発明の第１の実施の形態に係る画像記録再生装置の構成を示すブロック図である。
【図２】映像出力処理部の機能構成を示す図である。
【図３】音声出力処理部の機能構成を示す図である。
【図４】第１の実施の形態におけるマイコン部で行われる画像記録再生装置の動作制御の手順を示すフローチャートである。
【図５】本発明の第２の実施の形態に係る画像記録再生装置の構成を示すブロック図である。
【図６】第２の実施の形態におけるマイコン部で行われる画像記録再生装置の動作制御の手順を示すフローチャートである。
【符号の説明】
【００４７】
１  レンズ部
２  カメラ映像信号処理部
３  カメラ映像信号出力部（静止画映像信号出力手段）
４  アンテナ部
５  テレビ信号処理部
６  テレビ音声信号出力部（テレビ出力手段）
７  テレビ映像信号出力部（テレビ出力手段）
８  操作部
９  マイコン部（第１の制御手段）
１０  音声出力処理部
１１  映像出力処理部
１２  スピーカ部（音声出力手段）
１３  記録部
１４  表示部（画像表示手段）
【図１】
2006080637.tif 000003
【図２】
2006080637.tif 000004
【図３】
2006080637.tif 000005
【図４】
2006080637.tif 000006
【図５】
2006080637.tif 000007
【図６】
2006080637.tif 000008